(57)【要約】【課題】使用時のたわみによる変形が残されることなく、設置時や撤収時において受ける衝撃に強く、夜間において遠方より高い視認性が得られるコーンバーを提供すること。【解決手段】両端部にカラーコーン（登録商標）４への係止部３Ａ，３Ｂが取り付けられたバー本体１を構成する筒状体２が、グラスファイバーを素材とした光透過性の材料により構成されている。前記筒状体２内の長手方向に沿って複数のＬＥＤが配設されており、これらのＬＥＤは、コーンバー内に搭載されたスイッチング回路により点滅動作されるように構成されている。加えて、前記スイッチング回路を介して他のコーンバーに対して間欠的に駆動電流を送る駆動電流出力端子（ソケット）６Ｂが、前記バー本体１の端部に取り付けられている。【選択図】図２
0003139230.tif 000002
【実用新案登録請求の範囲】
【請求項１】
長尺の筒状体からなり、その両端部にカラーコーンへの係止部が取り付けられたバー本体と、前記バー本体を構成する筒状体内に配設された電流駆動型光源とを少なくとも備えたコーンバーであって、
前記バー本体を構成する筒状体が、グラスファイバーを素材とした光透過性の材料により構成され、前記電流駆動型光源が、前記筒状体内の長手方向に沿って配設された複数のＬＥＤにより構成されていることを特徴とするコーンバー。
【請求項２】
前記複数のＬＥＤに対して間欠的に給電することで、前記ＬＥＤを点滅駆動させるスイッチング回路が、前記バー本体内に搭載されていることを特徴とする請求項２に記載されたコーンバー。
【請求項３】
外部の駆動電源からの駆動電流を受ける駆動電流入力端子、および前記スイッチング回路を介して他のコーンバーに対して間欠的に駆動電流を送る駆動電流出力端子が、前記バー本体の両端部にそれぞれ取り付けられていることを特徴とする請求項２に記載されたコーンバー。
【考案の詳細な説明】
【技術分野】
【０００１】
この考案は、例えば道路工事等の現場において用いられ、円錐形に成形されたカラーコーン間にかけ渡されて自動車の運転者や歩行者に対して作業の境界を認識させるコーンバーの改良に関する。
【背景技術】
【０００２】
従来よりこの種のコーンバーは、前記した道路工事や建設現場もしくは交通事故等の現場付近において、ルートの迂回指示や立ち入り禁止の表示を行うために多用されており、円錐形状のカラーコーンの間にかけ渡され、また必要に応じてカラーコーンを介して多数連結された状態で使用される。
【０００３】
そして前記コーンバーは、夜間においての視認性を高めるために筒状に成形された内部に電流駆動型の光源、例えば電球や蛍光灯を収容した構成にされているものも提供されている。この場合、前記コーンバーは前記光源からの光を透過表示させるために、例えば塩化ビニル樹脂等による光透過性の素材により成形されている。
【０００４】
なお、筒状に成形された内部に蛍光灯を収容したコーンバーについては、特許文献１に開示されており、また、筒状体を塩化ビニル樹脂により成形したコーンバーについては、特許文献２に開示されている。
【特許文献１】実開平８−１３４３４号公報
【特許文献２】特開平９−９７０２３号公報
【考案の開示】
【考案が解決しようとする課題】
【０００５】
ところで、この種のコーンバーについては、その設置時や撤収時において、これを放り投げるなどの乱暴な扱いを受けることが度々あり、前記した特許文献１に開示されたように、内部に蛍光灯を収容したコーンバーについては、この時に受ける衝撃によって蛍光灯が損傷し、点灯不能になるという問題を抱えている。
【０００６】
また、前記した蛍光灯は、夜間においては常時点灯状態になされるために、街路灯などの光源や他の光が交錯する状況においては、遠方からコーンバーの点灯が十分に認識し得ないという問題も抱えている。
【０００７】
さらに、前記コーンバーは、一般的に円錐形状のカラーコーンの間にかけ渡された状態になされるため、その中央においてたわみが発生し、特許文献２に開示されたように、塩化ビニル樹脂により成形したコーンバーにおいては、そのたわみがそのまま残された状態となる。このために、その撤収時において大量の数を扱う場合などにおいては、個々のコーンバーが変形しているために扱い難く、搬送に支障が生ずるなどの問題も残される。
【０００８】
この考案は、従来のコーンバーにおける前記した問題点に着目してなされたものであり、その設置時や撤収時において受ける衝撃に強く、また夜間において遠方より、その存在を認識しやすいコーンバーを提供することを課題とするものである。これに加えて、この考案は使用時のたわみによる変形が残されることなく、撤収時などの扱いも容易になし得るコーンバーを提供することを課題とするものである。
【課題を解決するための手段】
【０００９】
前記した課題を解決するためになされたこの考案にかかるコーンバーは、長尺の筒状体からなり、その両端部にカラーコーンへの係止部が取り付けられたバー本体と、前記バー本体を構成する筒状体内に配設された電流駆動型光源とを少なくとも備えたコーンバーであって、前記バー本体を構成する筒状体が、グラスファイバーを素材とした光透過性の材料により構成され、前記電流駆動型光源が、前記筒状体内の長手方向に沿って配設された複数のＬＥＤにより構成されている点に特徴を有する。
【００１０】
この場合、前記複数のＬＥＤに対して間欠的に給電することで、前記ＬＥＤを点滅駆動させるスイッチング回路が、前記バー本体内に搭載されていることが望ましい。そして、好ましい実施の形態においては、外部の駆動電源からの駆動電流を受ける駆動電流入力端子、および前記スイッチング回路を介して他のコーンバーに対して間欠的に駆動電流を送る駆動電流出力端子が、前記バー本体の両端部にそれぞれ取り付けられた構成にされる。
【考案の効果】
【００１１】
前記した構成のコーンバーによると、バー本体を構成する筒状体が、グラスファイバーを素材とした光透過性の材料により構成されているので、使用時のたわみによる変形が残されることなく、したがって撤収時などにおいて、そのとり扱いを容易にすることができる。
【００１２】
また、筒状体内の長手方向に沿って複数のＬＥＤが配設された構成にされているので、従来の蛍光灯などを用いたもの比較して、とり扱い時に受ける衝撃等に強く、発光寿命が長いというＬＥＤの特質を生かしたコーンバーを提供することができる。そして、バー本体を構成する筒状体が前記したとおりグラスファイバーにより構成されているので、前記ＬＥＤからの光を効率良く透過し、かつ耐久性に優れたコーンバーを提供することが可能となる。
【００１３】
さらに、前記バー本体内にスイッチング回路を備え、前記各ＬＥＤに対して間欠的に給電するように構成することで、各ＬＥＤは点滅動作がなされ、夜間において遠方より高い視認性が得られるコーンバーを提供することが可能となる。
【００１４】
これに加えて、外部の駆動電源からの駆動電流を受ける駆動電流入力端子、および前記スイッチング回路を介して他のコーンバーに対して間欠的に駆動電流を送る駆動電流出力端子を、前記バー本体の両端部にそれぞれ取り付けた構成にしたことで、カラーコーンを介してコーンバーを連続して接続配置した場合において、各コーンバーの前記入出力端子を介して各コーンバーに対して順次駆動電流を供給することができる。
【考案を実施するための最良の形態】
【００１５】
以下、この考案にかかるコーンバーについて、図に示す実施の形態に基づいて説明する。図１〜図３はこの考案にかかるコーンバーの使用状態について説明するものであり、また図４は、図３において鎖線で囲まれたＡとして示す筒状体の一部を破断して拡大斜視図により示したものである。
【００１６】
図１に示すようにコーンバーは、長尺の筒状体２と、その両端部取り付けられたカラーコーンへの係止部３Ａ，３Ｂとによりバー本体１が構成されている。前記係止部３Ａ，３Ｂは、図１に示すように面方向から視た場合、周知のように円環状に形成されており、この円環状に形成された係止部３Ａ，３Ｂが、図２に示すように円錐状に形成された各カラーコーン４の斜面にそれぞれ係止することで、バー本体１は、ほぼ水平状態の姿勢をもって、カラーコーン４に支持される。
【００１７】
また、前記バー本体１は、必要に応じて図３に示すようにカラーコーン４を中継して連続的に接続配置させることもできる。
【００１８】
前記長尺の筒状体２は、図４にその一部を拡大して示したとおり円筒状になされ、グラスファイバーを素材とした光透過性の材料により構成されている。すなわち、前記グラスファイバーは、無機ガラスを溶融、牽引して繊維状にしたものであり、通常においては合成樹脂に前記グラスファイバーを混合して固化させた繊維強化プラスチック（ＦＲＰ）の形態で利用される。
【００１９】
そして、前記筒状体２内には、図４に模式的に示したように筒状体２の長手方向に沿って、符号Ｄ１，Ｄ２，……で示した複数のＬＥＤが配設されている。これらのＬＥＤは、例えば小面積の基板（図示せず）に装着された状態で、前記基板を介して筒状体２内に装着されていても良く、また筒状体２内に沿って配線された接続線（図示せず）に、直接接続した構成を採用することもでき、その装着形態は任意の形態が採用され得る。
【００２０】
なお、図に示す実施の形態においては、筒状体２の長手方向に沿って、その表面に赤と白の塗装がほぼ等間隔をもって施されており、赤の塗装部分として示した砂地模様を施した領域には例えば３個のＬＥＤが配設され、白の塗装部分を施した領域には例えば１個のＬＥＤが配設されている。
【００２１】
これは、白に対して赤の塗装部分の光透過率が低いために、ＬＥＤの長手方向の配置密度を変えているものであり、このＬＥＤの配置密度は任意に設定することができる。また、筒状体２の表面に形成される赤と白の塗装に代えて、色付の光透過性フィルム樹脂をラミネートした構成も採用することができ、さらに赤と白の配列以外の他の色の配列パターンを採用することもできる。
【００２２】
図１および図２に示したコーンバーを構成するバー本体１の両端部、すなわち円環状に形成された係止部３Ａ，３Ｂの取り付け部付近より防水型被覆コードが導出されており、その先端部には、それぞれ防水型ソケット６Ａ，６Ｂが取り付けられている。図１および図２に示した実施の形態においては、その右側における防水型ソケット６Ａが、外部の駆動電源（バッテリー）７からの駆動電流を受ける駆動電流入力端子として機能する。
【００２３】
すなわち、図２に示すように、バッテリー７に接続された防水型ソケット８が、バー本体１側の前記防水型ソケット６Ａに接続されることで、バッテリー７より駆動電流がコーンバーに供給される。そして、バー本体１内に収容された図５に基づいて後で説明するスイッチング回路を介した駆動電流が、図１および図２に示す左側における防水型ソケット６Ｂを介して導出されるように構成されている。すなわち、前記ソケット６Ｂは駆動電流出力端子を構成している。
【００２４】
図５は、前記したスイッチング回路を含むＬＥＤの接続形態の一例を示したものである。すなわち、図５に示すソケット６Ａを介して前記したバッテリー７より駆動電流が供給されるように構成されており、ゼナーダイオードＺＤおよびコンデンサＣ１の直列回路に前記バッテリー７からの電圧が印加される。前記ゼナーダイオードＺＤとコンデンサＣ１との接続中点にはインバータＩＮが接続されており、前記インバータＩＮの出力端と前記接続中点との間には、抵抗素子Ｒ１が接続されている。
【００２５】
また、前記インバータＩＮの出力端には、エミッタが負電極ラインに接続されたｎｐｎ型トランジスタＴ１のベースが接続されており、前記トランジスタＴ１のコレクタは、ｐｎｐ型トランジスタＴ２のベースに接続されている。また前記トランジスタＴ２は、そのエミッタが前記ソケット６Ａ側の正電極ラインに接続されており、当該トランジスタＴ２のコレクタは駆動電流出力端子として機能するソケット６Ｂの正電極出力端に接続されている。
【００２６】
そして、トランジスタＴ２のコレクタと負電位ラインとの間には、符号Ｄ１〜Ｄｎで示す前記したＬＥＤが直列接続されており、このＬＥＤの直列接続群は、必要に応じて複数設けられる。
【００２７】
図５に示した構成において、ゼナーダイオードＺＤ、コンデンサＣ１、インバータＩＮ、抵抗素子Ｒ１、トランジスタＴ１およびＴ２により前記したスイッチング回路を構成しており、このスイッチング回路は、図１および図２に示す前記したバー本体１内に搭載されている。
【００２８】
図５に示す駆動電流入力端子として機能するソケット６Ａに前記したバッテリー７が接続されると、コンデンサＣ１に対してゼナーダイオードＺＤを介して電荷が蓄積される。インバータＩＮは、その入力端電圧（コンデンサ電圧）が所定のスレッショルドレベルに達した時に出力を反転し、その反転出力は抵抗素子Ｒ１を介して、コンデンサＣ１の端子電圧を低下させるようにフィードバックされる。コンデンサＣ１の端子電圧が低下するとインバータＩＮの出力は再び反転（元の状態に復帰）する。
【００２９】
前記インバータＩＮの反転時および復帰時における入力端子電圧はヒステリシス特性を有しており、したがってコンデンサＣ１と抵抗素子Ｒ１により作られるアタックタイムとリカバリータイムにしたがって、トランジスタＴ１がオンおよびオフ動作され、これによりトランジスタＴ２も同様にオンおよびオフ動作される。それ故、トランジスタＴ２のエミッタと負電極ラインとの間に接続された前記ＬＥＤは、点滅動作されることになる。
【００３０】
図１および図２に示すコーンバーにおける駆動電流出力端子として機能するソケット６Ｂからは、前記したスイッチング回路を介した電流が出力されることになる。したがってソケット６Ｂを図３に示すように同一構成の他のコーンバー（二段目のコーンバー）における駆動電流入力端子として機能するソケット６Ａに接続することにより、前記スイッチング回路を介した電流が二段目のコーンバーに供給されることになる。さらに、同様に前記各ソケット６Ａ，６Ｂを利用することで、三段目以降のコーンバーにも順次駆動電流を供給することができる。
【００３１】
この場合、従属接続された二段目以降のコーンバーにおいては、一段目のコーンバーによるスイッチング動作がなされた駆動電流を受けることになる。このために、二段目以降のコーンバーにおけるスイッチング回路を構成する前記したコンデンサＣ１の端子電圧は前記したインバータＩＮを反転動作させるに十分な電圧レベルに上昇せず、二段目以降のコーンバーにおけるスイッチング回路の動作は不能になされる。
【００３２】
したがって、二段目以降のコーンバーにおいては、一段目のコーンバーにおけるスイッチング動作に基づいて、各ＬＥＤが点滅動作されることになり、結果として従属接続された各コーンバーのＬＥＤは、それぞれ同期して点滅動作を繰り返すことになる。
【００３３】
以上の説明で明らかなとおり、この考案にかかるコーンバーの構成によると、バー本体を構成する筒状体を、グラスファイバーを素材とした光透過性の材料により構成し、前記筒状体内の長手方向に沿って複数のＬＥＤを配設すると共に、前記ＬＥＤに対して間欠的に給電するスイッチング回路を備えたので、前記した考案の効果の欄に記載した独自の効果を得ることができる。
【図面の簡単な説明】
【００３４】
【図１】この考案にかかるコーンバーの実施の形態を示した平面図である。
【図２】図１に示すコーンバーをカラーコーンに装着した状態を示す正面図である。
【図３】カラーコーンを中継してコーンバーを連続的に接続配置した状態を示す正面図である。
【図４】図３において鎖線で囲まれたＡ部分を破断状態で示した拡大斜視図である。
【図５】コーンバー内に収容されるＬＥＤ駆動回路の例を示した回路構成図である。
【符号の説明】
【００３５】
１                  バー本体
２                  筒状体
３Ａ，３Ｂ          係止部
４                  カラーコーン
６Ａ                ソケット（駆動電流入力端子）
６Ｂ                ソケット（駆動電流出力端子）
７                  駆動電源（バッテリー）
Ｄ１，Ｄ２，……    ＬＥＤ
【図１】
0003139230.tif 000003
【図２】
0003139230.tif 000004
【図３】
0003139230.tif 000005
【図４】
0003139230.tif 000006
【図５】
0003139230.tif 000007
【手続補正書】
【提出日】平成19年11月19日(2007.11.19)
【手続補正１】
【補正対象書類名】実用新案登録請求の範囲
【補正対象項目名】全文
【補正方法】変更
【補正の内容】
【実用新案登録請求の範囲】
【請求項１】
長尺の筒状体からなり、その両端部にカラーコーン（登録商標）への係止部が取り付けられたバー本体と、前記バー本体を構成する筒状体内に配設された電流駆動型光源とを少なくとも備えたコーンバーであって、
前記バー本体を構成する筒状体が、グラスファイバーを素材とした光透過性の材料により構成され、前記電流駆動型光源が、前記筒状体内の長手方向に沿って配設された複数のＬＥＤにより構成されていることを特徴とするコーンバー。
【請求項２】
前記複数のＬＥＤに対して間欠的に給電することで、前記ＬＥＤを点滅駆動させるスイッチング回路が、前記バー本体内に搭載されていることを特徴とする請求項１に記載されたコーンバー。
【請求項３】
外部の駆動電源からの駆動電流を受ける駆動電流入力端子、および前記スイッチング回路を介して他のコーンバーに対して間欠的に駆動電流を送る駆動電流出力端子が、前記バー本体の両端部にそれぞれ取り付けられていることを特徴とする請求項２に記載されたコーンバー。
【手続補正２】
【補正対象書類名】明細書
【補正対象項目名】０００１
【補正方法】変更
【補正の内容】
【０００１】
この考案は、例えば道路工事等の現場において用いられ、円錐形に成形されたカラーコーン（登録商標）間にかけ渡されて自動車の運転者や歩行者に対して作業の境界を認識させるコーンバーの改良に関する。
【手続補正３】
【補正対象書類名】明細書
【補正対象項目名】０００２
【補正方法】変更
【補正の内容】
【０００２】
従来よりこの種のコーンバーは、前記した道路工事や建設現場もしくは交通事故等の現場付近において、ルートの迂回指示や立ち入り禁止の表示を行うために多用されており、円錐形状のカラーコーン（登録商標）の間にかけ渡され、また必要に応じてカラーコーン（登録商標）を介して多数連結された状態で使用される。
【手続補正４】
【補正対象書類名】明細書
【補正対象項目名】０００７
【補正方法】変更
【補正の内容】
【０００７】
さらに、前記コーンバーは、一般的に円錐形状のカラーコーン（登録商標）の間にかけ渡された状態になされるため、その中央においてたわみが発生し、特許文献２に開示されたように、塩化ビニル樹脂により成形したコーンバーにおいては、そのたわみがそのまま残された状態となる。このために、その撤収時において大量の数を扱う場合などにおいては、個々のコーンバーが変形しているために扱い難く、搬送に支障が生ずるなどの問題も残される。
【手続補正５】
【補正対象書類名】明細書
【補正対象項目名】０００９
【補正方法】変更
【補正の内容】
【０００９】
前記した課題を解決するためになされたこの考案にかかるコーンバーは、長尺の筒状体からなり、その両端部にカラーコーン（登録商標）への係止部が取り付けられたバー本体と、前記バー本体を構成する筒状体内に配設された電流駆動型光源とを少なくとも備えたコーンバーであって、前記バー本体を構成する筒状体が、グラスファイバーを素材とした光透過性の材料により構成され、前記電流駆動型光源が、前記筒状体内の長手方向に沿って配設された複数のＬＥＤにより構成されている点に特徴を有する。
【手続補正６】
【補正対象書類名】明細書
【補正対象項目名】００１４
【補正方法】変更
【補正の内容】
【００１４】
これに加えて、外部の駆動電源からの駆動電流を受ける駆動電流入力端子、および前記スイッチング回路を介して他のコーンバーに対して間欠的に駆動電流を送る駆動電流出力端子を、前記バー本体の両端部にそれぞれ取り付けた構成にしたことで、カラーコーン（登録商標）を介してコーンバーを連続して接続配置した場合において、各コーンバーの前記入出力端子を介して各コーンバーに対して順次駆動電流を供給することができる。
【手続補正７】
【補正対象書類名】明細書
【補正対象項目名】００１６
【補正方法】変更
【補正の内容】
【００１６】
図１に示すようにコーンバーは、長尺の筒状体２と、その両端部取り付けられたカラーコーン（登録商標）への係止部３Ａ，３Ｂとによりバー本体１が構成されている。前記係止部３Ａ，３Ｂは、図１に示すように面方向から視た場合、周知のように円環状に形成されており、この円環状に形成された係止部３Ａ，３Ｂが、図２に示すように円錐状に形成された各カラーコーン（登録商標）４の斜面にそれぞれ係止することで、バー本体１は、ほぼ水平状態の姿勢をもって、カラーコーン（登録商標）４に支持される。
【手続補正８】
【補正対象書類名】明細書
【補正対象項目名】００１７
【補正方法】変更
【補正の内容】
【００１７】
また、前記バー本体１は、必要に応じて図３に示すようにカラーコーン（登録商標）４を中継して連続的に接続配置させることもできる。
【手続補正９】
【補正対象書類名】明細書
【補正対象項目名】００３４
【補正方法】変更
【補正の内容】
【００３４】
【図１】この考案にかかるコーンバーの実施の形態を示した平面図である。
【図２】図１に示すコーンバーをカラーコーン（登録商標）に装着した状態を示す正面図である。
【図３】カラーコーン（登録商標）を中継してコーンバーを連続的に接続配置した状態を示す正面図である。
【図４】図３において鎖線で囲まれたＡ部分を破断状態で示した拡大斜視図である。
【図５】コーンバー内に収容されるＬＥＤ駆動回路の例を示した回路構成図である。
【手続補正１０】
【補正対象書類名】明細書
【補正対象項目名】００３５
【補正方法】変更
【補正の内容】
【００３５】
１                  バー本体
２                  筒状体
３Ａ，３Ｂ          係止部
４                  カラーコーン（登録商標）
６Ａ                ソケット（駆動電流入力端子）
６Ｂ                ソケット（駆動電流出力端子）
７                  駆動電源（バッテリー）
Ｄ１，Ｄ２，……    ＬＥＤ